(57)【要約】      （修正有）【課題】葉書に対する光の透過度合いを簡易な構成にて小さくし、内部情報の第三者に対する秘匿を確実にする。【解決手段】紙片３、４が剥離可能に重ね合され、重ね合わせにより対向する内方面４ａの隠蔽情報表示部９と対応する位置にして白色顔料を含むインキを印刷してなる白色遮光層１３を設けた。【効果】隠蔽葉書内方の隠蔽情報表示部に対応する位置に白色遮光層が形成されているので、太陽や強い光の光源に隠蔽葉書をかざしたとしても隠蔽情報表示部に記載されている隠蔽情報が透け出ることがない。【選択図】図１
2004209817.tif 000002
【特許請求の範囲】
【請求項１】
複数紙片が剥離可能に重ね合され、重ね合わせにより対向する内方面の隠蔽情報表示部に隠蔽情報が設けられている隠蔽葉書において、
葉書外表面に、少なくとも前記隠蔽情報表示部の位置と対応する位置にして白色顔料を含むインキを印刷してなる白色遮光層を設けたことを特徴とする隠蔽葉書。
【請求項２】
複数紙片が剥離可能に重ね合され、重ね合わせにより対向する内方面の隠蔽情報表示部に隠蔽情報が設けられている隠蔽葉書において、
前記隠蔽情報表示部と内方面であって前記隠蔽情報表示部と対向する部分との少なくとも一方に、白色顔料を含むインキを印刷してなる白色遮光層を設け、両内方面の全面に前記白色遮光層の形成部分を覆うようにして重ね合わせ紙片を剥離可能に接着する弱接着層が形成され、該弱接着層上から前記隠蔽情報表示部に対して隠蔽情報が設けられていることを特徴とする隠蔽葉書。
【発明の詳細な説明】
【０００１】
【発明の属する技術分野】
本発明は見開きなどすることにより内部に記載された情報を確認できるようにした隠蔽葉書に関するものである。
【０００２】
【従来の技術】
従来からダイレクトメールに代表されるように各種の情報を連絡する手段の一つとして葉書が用いられており、金融機関や保険期間などにおいて顧客への定期的な情報連絡を行なうに際して用いられる隠蔽葉書として、折り畳みにより内方となる面側に再接着不能とした弱接着力の貼着手段を設けるとともに、その内方となる面側に通知情報を記載して、見開き可能に折り畳んでなる形態のものとしている。そして、内側に記載されている情報の秘匿性をより高めるために、宛名情報記載が位置する外表面とは反対側の外表面に地紋を印刷することが行われていた（例えば、特許文献１参照）。
【０００３】
【特許文献１】
特開平１１−０２０３５０号公報（項目番号０００４）
【０００４】
【発明が解決しようとする課題】
上記従来の隠蔽葉書では、通常に取り扱う場合において、地紋印刷により記載情報の透け出しを防止できるものとなる。しかしながら、太陽や強い光の光源にこの隠蔽葉書をかざした場合に内部の記載情報が透け出て内容を判読される可能性があり、太陽などにかざしても内容が判読されないようにしたいとの要望があった。
この点、記載情報を隠蔽する用具として遮光性にすぐれた金属箔層を層構成中に有する隠蔽ラベルを情報の記載部分に剥離可能に貼り合わせる工夫が提案されているが、葉書受取人側で隠蔽ラベルを剥ぎ取るとその隠蔽ラベルが不要ゴミとなってしまうという問題があるとともに、剥離可能に貼り合される内面側に情報を記載するタイプのこの隠蔽葉書には採用できない問題がある。
そこで本発明は上記事情に鑑み、葉書に対する光の透過度合いを簡易な構成にて小さくすることを課題とし、内部情報の第三者に対する秘匿を確実にすることを目的とするものである。
【０００５】
【課題を解決するための手段】
本発明は上記課題を考慮してなされたもので、複数紙片が剥離可能に重ね合され、重ね合わせにより対向する内方面の隠蔽情報表示部に隠蔽情報が設けられている隠蔽葉書において、葉書外表面に、少なくとも前記隠蔽情報表示部の位置と対応する位置にして白色顔料を含むインキを印刷してなる白色遮光層を設けたことを特徴とする隠蔽葉書を提供して、上記課題を解消するものである。
また、もう一つの発明は、複数紙片が剥離可能に重ね合され、重ね合わせにより対向する内方面の隠蔽情報表示部に隠蔽情報が設けられている隠蔽葉書において、前記隠蔽情報表示部と内方面であって前記隠蔽情報表示部と対向する部分との少なくとも一方に、白色顔料を含むインキを印刷してなる白色遮光層を設け、両内方面の全面に前記白色遮光層の形成部分を覆うようにして重ね合わせ紙片を剥離可能に接着する弱接着層が形成され、該弱接着層上から前記隠蔽情報表示部に対して隠蔽情報が設けられていることを特徴とする隠蔽葉書であり、この隠蔽葉書を提供して上記課題を解消するものである。
【０００６】
【発明の実施の形態】
つぎに本発明を図１から図５に示す実施の形態に基づいて詳細に説明する。
図中１は隠蔽葉書で、該隠蔽葉書１は折り部２を介して連接された二紙片３、４を折り重ねて、この折り重ねにより対向する内方面３ａ，４ａそれぞれに予め設けられた弱接着剤からなる弱接着層５によって見開き可能にして、かつ再接着不能にして貼り合わせられているものである（図２参照）。そして、図１に示されているように、二面の葉書外表面の内、紙片３の葉書外表面３ｂには、受取人住所氏名などの宛名情報６が設けられている宛名情報表示部７が位置しており、また葉書裏面側である紙片４の葉書外表面４ｂには差出人住所氏名などの差出人情報８が設けられている差出人情報表示部９が位置している。葉書裏面であるこの葉書外表面４ｂには前記差出人情報表示部９を除く領域全面に地紋などの模様からなる隠蔽部１０が普通印刷により形成されている。
さらに、上記紙片４の内方面４ａには通知情報などの隠蔽情報１１を設けた隠蔽情報表示部１２が位置しており（図３参照）、紙片３と紙片４とが折り重ねる前の見開き状態の時点でプリンタなどの情報出力機器によって上記弱接着層５の上から出力される。この隠蔽情報表示部１２の隠蔽情報１１は紙片３、４の折り畳みにより隠され、葉書受取人がこの隠蔽葉書１を見開くことで隠蔽情報１１が確認できるようにしている。
【０００７】
上記隠蔽葉書１においては、折り重ね前の展開状態での断面である図４で示すように、宛名情報表示部７が位置している葉書外表面３ｂとは反対側となる紙片４の葉書外表面４ｂであって、上記隠蔽情報表示部１２と対応する位置に、白色顔料を含むインキを印刷してなる白色遮光層１３が設けられ、この白色遮光層１３の上から上記隠蔽部１０が印刷にて形成されている。
上記白色遮光層１３を構成するために用いるインキの上記白色顔料は二酸化チタンなどからなるものであり、白色遮光層１３は高い遮光性を示すものである。このように葉書外表面４ｂでの隠蔽情報表示部１２と対応する位置に白色遮光層１３を配しているので、紙片３、４を折り重ねて貼り合わせてなる隠蔽葉書１を太陽や強い光の光源にかざしても、隠蔽情報表示部１２に対応する位置に隠蔽部１０と白色遮光層１３との両者が位置するために、隠蔽情報表示部１２での光線透過の度合いが非常に小さくなり、隠蔽情報１１の透け出しを確実に防止している。
【０００８】
上記白色顔料としては、天然品や合成品を用いることができる。例えば、上記二酸化チタン（アナターゼやルチル）、酸化亜鉛、硫化亜鉛、リトポン、鉛顔料（炭酸鉛、塩基性硫酸鉛、塩基性ケイ酸鉛、塩基性シリコ硫酸鉛、二塩基性亜リン酸鉛など）、酸化アンチモン、酸化ジルコニウム、ジルコン、カオリン、粘土、炭酸カルシウム、硫酸バリウム、ケイ酸塩（ステアタイト、アスベスチンなどから得られるタルクなど）、雲母、水和アルミナ、軽石、アスベスト、硫酸カルシウム、アルミノケイ酸ナトリウム、アルミノケイ酸ナトリウムカリウムなどを挙げることができる。これらは二種以上混合して用いることもできる。
【０００９】
上記実施の例では、葉書外表面４ｂにおいて隠蔽情報表示部１２に対応する位置に白色遮光層１３を配しているが、これに限定されるものではなく、葉書外表面４ｂの全面や紙片３の葉書外表面３ｂにおける隠蔽情報表示部１２に対応する位置、さらにはこの葉書外表面３ｂの全面に配するようにしてもよい。なお、白色遮光層１３を設けたことで隠蔽情報表示部１２が位置する部分での光の透過度合いは極めて小さくなっており、上記隠蔽部１０は必ずしも必要とはされない。葉書外表面４ｂにおいて前記隠蔽部１０を形成しない場合には、葉書外表面４ｂを葉書受取人以外に知られてもよい通知情報などを表示する部分として利用できる。
白色遮光層１３を得るためのインキの塗工量として、例えば白色顔料に二酸化チタンを用いたものの場合、内方面や外表面の一面全面に塗工したものと換算して約５ｇ／ｍ２程度を目安として塗工する。
【００１０】
また、隠蔽葉書１では折り重ね前の展開状態での断面である図５に示すように、紙片４の内方面４ａの隠蔽情報表示部１２に上記白色遮光層１３を設け、両内方面３ａ，４ａの全面に白色遮光層１３の形成部分を覆うようにして弱接着層５を形成し、該弱接着層５上から隠蔽情報表示部１２に対して隠蔽情報１１を設けるようにしてもよい。このようにしても、隠蔽葉書１では隠蔽情報表示部１２の位置に白色遮光層１３が存在しているため、太陽や強い光の光源に隠蔽葉書１をかざしても隠蔽情報１１が透け出ることがない。
さらに、隠蔽葉書１の内側に白色遮光層１３を配する場合、内方面４ａの全面や紙片３の内方面３ａにおける隠蔽情報表示部１２に対応する部分、さらに内方面３ａの全面にこの白色遮光層１３を形成するようにしてもよい。
【００１１】
なお、上記実施の例において、隠蔽情報が設けられる隠蔽情報表示部を内方面４ａに位置させたが、本発明はこれに限定されるものではなく、内方面３ａや両内方面３ａ，４ａに隠蔽情報表示部を配してもよく、これらに対応する位置にして上記白色遮光層を設けるようにする。
【００１２】
【発明の効果】
以上説明したように、本発明によれば、隠蔽葉書内方の隠蔽情報表示部に対応する位置に白色遮光層が形成されているので、太陽や強い光の光源に隠蔽葉書をかざしたとしても隠蔽情報表示部に記載されている隠蔽情報が透け出ることがない。そして白色遮光層は通常の印刷手法などを用いて形成でき、秘匿性の高い隠蔽葉書を簡易な構成にて安価に作成できるなど、実用性に優れた効果を奏するものである。
【図面の簡単な説明】
【図１】本発明に係る隠蔽葉書の一例を示すもので、（イ）は葉書表面側を示す説明図、（ロ）は葉書裏面側を示す説明図である。
【図２】図１（イ）のＸ−Ｘ線に沿った断面を示す説明図である。
【図３】一例における展開した内方面を示す説明図である。
【図４】一例における白色遮光層を図１（イ）のＹ−Ｙ線に沿った位置での展開断面で示す説明図である。
【図５】他の例を図４と同部の展開断面で示す説明図である。
【符号の説明】
１…隠蔽葉書
３、４…紙片
３ａ，４ａ…内方面
３ｂ，４ｂ…葉書外表面
５…弱接着層
１１…隠蔽情報
１２…隠蔽情報表示部
１３…白色遮光層
【図１】
2004209817.tif 000003
【図２】
2004209817.tif 000004
【図３】
2004209817.tif 000005
【図４】
2004209817.tif 000006
【図５】
2004209817.tif 000007